(57)【要約】【課題】複数の無線周波数帯の間で利用端末数を調整することに加えて、端末の通信品質を考慮して優先比率を設定することを図る。【解決手段】第１の無線周波数帯の第１の無線通信装置に接続している端末について、第２の無線周波数帯の第２の無線通信装置に接続できる端末のうち、第１の無線周波数帯の方が良い通信品質である第１の端末群と第２の無線周波数帯の方が良い通信品質である第２の端末群を判定する端末群判定部２１と、入力優先比率、第１の端末群の端末数および第２の端末群の端末数を用いて、入力優先比率に合う且つ通信品質が良い無線周波数帯が優先される、該端末群に属する端末に設定される優先比率、を算出する優先比率計算部２２と、を備える。【選択図】図２
2014082576.tif 000002
【特許請求の範囲】
【請求項１】
第１の無線周波数帯で複数の端末と無線通信を行う第１の無線通信装置に接続している端末について、前記第１の無線周波数帯とは異なる第２の無線周波数帯で複数の端末と無線通信を行う第２の無線通信装置に接続できる端末のうち、前記第１の無線周波数帯の方が良い通信品質である第１の端末群と前記第２の無線周波数帯の方が良い通信品質である第２の端末群を判定する端末群判定部と、
端末が前記第１の無線周波数帯または前記第２の無線周波数帯のいずれの無線周波数帯を優先して無線通信装置に接続するかを表す優先比率の入力値である入力優先比率、前記第１の端末群の端末数および前記第２の端末群の端末数を用いて、前記入力優先比率に合う且つ通信品質が良い無線周波数帯が優先される、前記端末群に属する端末に設定される優先比率、を算出する優先比率計算部と、
を備えたことを特徴とする優先比率計算装置。
【請求項２】
前記優先比率計算部は、
前記入力優先比率と前記第１の端末群および前記第２の端末群の端末合計数とに基づいた前記第１の無線周波数帯への第１の所望接続数が前記第１の端末群の端末数以上である場合に、前記第１の無線周波数帯を優先させる確率が１００％である第１の優先比率と、前記第１の無線周波数帯を優先させる確率が前記第１の所望接続数から前記第１の端末群の端末数を減算した差を前記第２の端末群の端末数で除した商である第２の優先比率とを算出し、
前記第１の所望接続数が前記第１の端末群の端末数未満である場合に、前記第１の無線周波数帯を優先させる確率が前記第１の所望接続数を前記第１の端末群の端末数で除した商である第１の優先比率と、前記第１の無線周波数帯を優先させる確率が０％である第２の優先比率とを算出する、
ことを特徴とする請求項１に記載の優先比率計算装置。
【請求項３】
前記優先比率計算部は、
前記第１の端末群および前記第２の端末群について、前記第１の無線周波数帯と前記第２の無線周波数帯間の受信電力差で順位付けし、
該順位に基づいて、前記第１の無線周波数帯を優先させる確率が１００％である第１の優先比率を適用する端末と、前記第２の無線周波数帯を優先させる確率が１００％である第２の優先比率を適用する端末とを選択する、
ことを特徴とする請求項１又は２に記載の優先比率計算装置。
【請求項４】
前記優先比率計算部は、
前記第１の端末群および前記第２の端末群について、前記第１の無線周波数帯または前記第２の無線周波数帯の受信電力で順位付けし、
該順位に基づいて、前記第１の無線周波数帯を優先させる確率が１００％である第１の優先比率を適用する端末と、前記第２の無線周波数帯を優先させる確率が１００％である第２の優先比率を適用する端末とを選択する、
ことを特徴とする請求項１又は２に記載の優先比率計算装置。
【請求項５】
前記端末群判定部は、前記第１の無線通信装置に接続している端末について、前記第１の無線通信装置に接続する第３の端末群を判定し、
前記優先比率計算部は、前記第３の端末群が前記第１の無線周波数帯に接続することを条件に含めて前記優先比率の算出を行う、
ことを特徴とする請求項１から４のいずれか１項に記載の優先比率計算装置。
【請求項６】
第１の無線周波数帯で複数の端末と無線通信を行う第１の無線通信装置に接続している端末について、前記第１の無線周波数帯とは異なる第２の無線周波数帯で複数の端末と無線通信を行う第２の無線通信装置に接続できる端末のうち、前記第１の無線周波数帯の方が良い通信品質である第１の端末群と前記第２の無線周波数帯の方が良い通信品質である第２の端末群を判定する端末群判定ステップと、
端末が前記第１の無線周波数帯または前記第２の無線周波数帯のいずれの無線周波数帯を優先して無線通信装置に接続するかを表す優先比率の入力値である入力優先比率、前記第１の端末群の端末数および前記第２の端末群の端末数を用いて、前記入力優先比率に合う且つ通信品質が良い無線周波数帯が優先される、前記端末群に属する端末に設定される優先比率、を算出する優先比率計算ステップと、
を含むことを特徴とする優先比率計算方法。
【請求項７】
第１の無線周波数帯で複数の端末と無線通信を行う第１の無線通信装置に接続している端末について、前記第１の無線周波数帯とは異なる第２の無線周波数帯で複数の端末と無線通信を行う第２の無線通信装置に接続できる端末のうち、前記第１の無線周波数帯の方が良い通信品質である第１の端末群と前記第２の無線周波数帯の方が良い通信品質である第２の端末群を判定する端末群判定ステップと、
端末が前記第１の無線周波数帯または前記第２の無線周波数帯のいずれの無線周波数帯を優先して無線通信装置に接続するかを表す優先比率の入力値である入力優先比率、前記第１の端末群の端末数および前記第２の端末群の端末数を用いて、前記入力優先比率に合う且つ通信品質が良い無線周波数帯が優先される、前記端末群に属する端末に設定される優先比率、を算出する優先比率計算ステップと、
をコンピュータに実行させるためのコンピュータプログラム。
【発明の詳細な説明】
【技術分野】
【０００１】
本発明は、無線通信システムに係る、優先比率計算装置、優先比率計算方法およびコンピュータプログラムに関する。
【背景技術】
【０００２】
無線通信システムにおいて負荷を分散させるモビリティ負荷分散（ＭＬＢ：Mobility Load Balancing）技術の一つとして、通信待機状態の端末が通信を開始する時に複数の無線周波数帯の中からいずれの無線周波数帯を優先して利用するのかの比率を表す優先比率を設定する方法が知られている（例えば、非特許文献１、２参照）。この方法によれば、通信待機状態の端末が通信を開始する時には優先比率に応じて複数の無線周波数帯の中から利用する無線周波数帯を選択するので、優先比率を変更することによって、複数の無線周波数帯の間で利用端末数を調整することができる。優先比率は、「CellReselectionPriority」として端末に通知される。
【先行技術文献】
【非特許文献】
【０００３】
【非特許文献１】3GPP standardization, “Evolved Universal Terrestrial Radio Access (E-UTRA); User Equipment (UE) procedures in idle mode (Release 10),” 3GPP TS 36.304 V10.5.0, Mar. 2012.
【非特許文献２】3GPP standardization, “Evolved Universal Terrestrial Radio Access (E-UTRA);Radio Resource Control (RRC);Protocol specification (Release 10),” 3GPP TS 36.331 V10.6.0, Jun. 2012.
【発明の概要】
【発明が解決しようとする課題】
【０００４】
上述した従来のモビリティ負荷分散技術では、優先比率によって複数の無線周波数帯の間で利用端末数を調整することはできる。しかしながら、以下に示す課題がある。
【０００５】
ある基地局に接続している全ての端末に対して一律に同じ優先比率を設定した場合、端末によっては、優先比率により優先される無線周波数帯よりも、優先されない無線周波数帯の方が良い通信品質を得られることが考えられる。このため、複数の無線周波数帯の間で利用端末数を調整することに加えて、端末の通信品質を考慮して優先比率を設定することが課題である。
【０００６】
本発明は、このような事情を考慮してなされたもので、複数の無線周波数帯の間で利用端末数を調整することに加えて、端末の通信品質を考慮して優先比率を設定することができる、優先比率計算装置、優先比率計算方法およびコンピュータプログラムを提供することを課題とする。
【課題を解決するための手段】
【０００７】
上記の課題を解決するために、本発明に係る優先比率計算装置は、第１の無線周波数帯で複数の端末と無線通信を行う第１の無線通信装置に接続している端末について、前記第１の無線周波数帯とは異なる第２の無線周波数帯で複数の端末と無線通信を行う第２の無線通信装置に接続できる端末のうち、前記第１の無線周波数帯の方が良い通信品質である第１の端末群と前記第２の無線周波数帯の方が良い通信品質である第２の端末群を判定する端末群判定部と、端末が前記第１の無線周波数帯または前記第２の無線周波数帯のいずれの無線周波数帯を優先して無線通信装置に接続するかを表す優先比率の入力値である入力優先比率、前記第１の端末群の端末数および前記第２の端末群の端末数を用いて、前記入力優先比率に合う且つ通信品質が良い無線周波数帯が優先される、前記端末群に属する端末に設定される優先比率、を算出する優先比率計算部と、を備えたことを特徴とする。
【０００８】
本発明に係る優先比率計算装置において、前記優先比率計算部は、前記入力優先比率と前記第１の端末群および前記第２の端末群の端末合計数とに基づいた前記第１の無線周波数帯への第１の所望接続数が前記第１の端末群の端末数以上である場合に、前記第１の無線周波数帯を優先させる確率が１００％である第１の優先比率と、前記第１の無線周波数帯を優先させる確率が前記第１の所望接続数から前記第１の端末群の端末数を減算した差を前記第２の端末群の端末数で除した商である第２の優先比率とを算出し、前記第１の所望接続数が前記第１の端末群の端末数未満である場合に、前記第１の無線周波数帯を優先させる確率が前記第１の所望接続数を前記第１の端末群の端末数で除した商である第１の優先比率と、前記第１の無線周波数帯を優先させる確率が０％である第２の優先比率とを算出する、ことを特徴とする。
【０００９】
本発明に係る優先比率計算装置において、前記優先比率計算部は、前記第１の端末群および前記第２の端末群について、前記第１の無線周波数帯と前記第２の無線周波数帯間の受信電力差で順位付けし、該順位に基づいて、前記第１の無線周波数帯を優先させる確率が１００％である第１の優先比率を適用する端末と、前記第２の無線周波数帯を優先させる確率が１００％である第２の優先比率を適用する端末とを選択する、ことを特徴とする。
【００１０】
本発明に係る優先比率計算装置において、前記優先比率計算部は、前記第１の端末群および前記第２の端末群について、前記第１の無線周波数帯または前記第２の無線周波数帯の受信電力で順位付けし、該順位に基づいて、前記第１の無線周波数帯を優先させる確率が１００％である第１の優先比率を適用する端末と、前記第２の無線周波数帯を優先させる確率が１００％である第２の優先比率を適用する端末とを選択する、ことを特徴とする。
【００１１】
本発明に係る優先比率計算装置において、前記端末群判定部は、前記第１の無線通信装置に接続している端末について、前記第１の無線通信装置に接続する第３の端末群を判定し、前記優先比率計算部は、前記第３の端末群が前記第１の無線周波数帯に接続することを条件に含めて前記優先比率の算出を行う、ことを特徴とする。
【００１２】
本発明に係る優先比率計算方法は、第１の無線周波数帯で複数の端末と無線通信を行う第１の無線通信装置に接続している端末について、前記第１の無線周波数帯とは異なる第２の無線周波数帯で複数の端末と無線通信を行う第２の無線通信装置に接続できる端末のうち、前記第１の無線周波数帯の方が良い通信品質である第１の端末群と前記第２の無線周波数帯の方が良い通信品質である第２の端末群を判定する端末群判定ステップと、端末が前記第１の無線周波数帯または前記第２の無線周波数帯のいずれの無線周波数帯を優先して無線通信装置に接続するかを表す優先比率の入力値である入力優先比率、前記第１の端末群の端末数および前記第２の端末群の端末数を用いて、前記入力優先比率に合う且つ通信品質が良い無線周波数帯が優先される、前記端末群に属する端末に設定される優先比率、を算出する優先比率計算ステップと、を含むことを特徴とする。
【００１３】
本発明に係るコンピュータプログラムは、第１の無線周波数帯で複数の端末と無線通信を行う第１の無線通信装置に接続している端末について、前記第１の無線周波数帯とは異なる第２の無線周波数帯で複数の端末と無線通信を行う第２の無線通信装置に接続できる端末のうち、前記第１の無線周波数帯の方が良い通信品質である第１の端末群と前記第２の無線周波数帯の方が良い通信品質である第２の端末群を判定する端末群判定ステップと、端末が前記第１の無線周波数帯または前記第２の無線周波数帯のいずれの無線周波数帯を優先して無線通信装置に接続するかを表す優先比率の入力値である入力優先比率、前記第１の端末群の端末数および前記第２の端末群の端末数を用いて、前記入力優先比率に合う且つ通信品質が良い無線周波数帯が優先される、前記端末群に属する端末に設定される優先比率、を算出する優先比率計算ステップと、をコンピュータに実行させるためのコンピュータプログラムであることを特徴とする。
【発明の効果】
【００１４】
本発明によれば、複数の無線周波数帯の間で利用端末数を調整することに加えて、端末の通信品質を考慮して優先比率を設定することができる。
【図面の簡単な説明】
【００１５】
【図１】本発明の一実施形態に係る無線通信システムの構成例を示す概要図である。
【図２】図１に示す優先比率計算装置１の構成例を示すブロック図である。
【図３】本発明に係る優先比率計算処理の実施例１のフローチャートである。
【図４】本発明の一実施形態に係る端末群判別方法を説明するための概念図である。
【図５】本発明に係る優先比率計算処理の実施例２のフローチャートである。
【図６】本発明に係る優先比率計算処理の実施例３のフローチャートである。
【図７】本発明に係る優先比率計算処理の実施例４のフローチャートである。
【発明を実施するための形態】
【００１６】
以下、図面を参照し、本発明の実施形態について説明する。
図１は、本発明の一実施形態に係る無線通信システムの構成例を示す概要図である。図１において、優先比率計算装置１は、基地局管理センター５に設置されている。基地局管理センター５は、通信ネットワーク４を介して、各基地局２Ａ，２Ｂとの間でデータを送受する。基地局２Ａは、無線周波数帯として１．５ＧＨｚ帯を利用する。基地局２Ｂは、無線周波数帯として８００ＭＨｚ帯を利用する。なお、本実施形態では、説明の便宜上、無線周波数帯の例として１．５ＧＨｚ帯および８００ＭＨｚ帯を利用しているとする。
【００１７】
図１の構成例では、１台の基地局２Ａと１台の基地局２Ｂが互いに重複するセルを形成している。端末３は、無線周波数帯として１．５ＧＨｚ帯と８００ＭＨｚ帯の両方を利用可能であり、通信待機状態から通信を開始する時には、優先比率に応じて１．５ＧＨｚ帯または８００ＭＨｚ帯のいずれかを選択して利用する。優先比率は、基地局管理センター５から各基地局に対して設定され、端末３に対しては接続している基地局から設定される。
【００１８】
なお、本実施形態では、優先比率計算装置１は基地局管理センター５に設けられるが、基地局が優先比率計算装置１を具備するようにしてもよい。
【００１９】
図２は、図１に示す優先比率計算装置１の構成例を示すブロック図である。図２において、優先比率計算装置１は、入力部１１と出力部１２と記憶部１３と処理部１４を有する。処理部１４は、端末群判定部２１と優先比率計算部２２を有する。入力部１１はデータを入力する。出力部１２はデータを出力する。記憶部１３はデータを記憶する。処理部１４は優先比率計算処理を行う。各部１１、１２、１３、１４はデータを送受できるように接続されている。
【００２０】
処理部１４は、ハードウェアにより実現されるものであってもよく、又は、メモリ及びＣＰＵ（中央演算処理装置）により構成され、処理部１４の機能を実現するためのプログラムをＣＰＵが実行することによりその機能を実現させるものであってもよい。処理部１４がＣＰＵから構成される場合、記憶部１３に保持されるデータはＣＰＵで実行されるプログラムを含む。
【００２１】
以下、実施例を挙げて本実施形態に係る優先比率計算装置１が行う優先比率計算処理を説明する。なお、以下の実施例では、図１において一基地局２Ａ（１．５ＧＨｚ帯）に設定する優先比率を計算する場合を例に挙げて説明する。
【実施例１】
【００２２】
図３は本発明に係る優先比率計算処理の実施例１のフローチャートである。図３を参照して、実施例１に係る優先比率計算装置１の動作を説明する。
【００２３】
（ステップＳ１）
入力部１１は入力情報を取得する。入力情報は、受信電力情報、受信電力閾値情報および所望優先比率情報を有する。受信電力情報は、端末３が各基地局２Ａ、２Ｂから受信した電波の受信電力を示す情報であり、端末３ごとに、基地局ごと且つ無線周波数帯ごとに存在する。受信電力情報として、例えば、3GPP（Third Generation Partnership Project）の標準規格「Evolved Universal Terrestrial Radio Access（E-UTRA）」（非特許文献１、２参照）で規定される「Measurement report」で端末３から報告される受信電力情報（RSRP（Reference Signal Received Power）又はRSRQ（Reference Signal Received Quality））を利用することができる。
【００２４】
受信電力閾値情報は受信電力閾値を示す情報である。所望優先比率情報は、基地局２Ａにおける所望の優先比率（入力優先比率）を示す情報である。
【００２５】
（ステップＳ２）
端末群判定部２１は、受信電力情報および受信電力閾値情報を用いて端末群の判別を行う。この端末群判別方法を、図４を参照して説明する。図４の例では、一基地局２Ａ（１．５ＧＨｚ帯）のセルＡと一基地局２Ｂ（８００ＭＨｚ帯）のセルＢが示されている。セルＡとセルＢは重複して形成されている。
【００２６】
基地局２Ａに接続している端末３（図４中、セルＡに在圏している端末３）は、基地局２Ａに接続する端末群ＹＡと、基地局２Ｂに接続できる端末群ＸＰ、ＸＱとに分類できる。
【００２７】
端末群ＹＡは、基地局２Ｂ（８００ＭＨｚ帯）の受信電力が受信電力閾値を下回っている端末３から構成される。また、基地局２Ａ（１．５ＧＨｚ帯）に接続している端末３の中で８００ＭＨｚ帯に対応していない端末３がある場合には、当該端末３は端末群ＹＡに含める。端末群ＹＡは、優先比率とは無関係に基地局２Ａに接続すると考えられるものである。
【００２８】
端末群ＸＰは、基地局２Ｂ（８００ＭＨｚ帯）の受信電力が受信電力閾値を満たし、且つ、基地局２Ａ（１．５ＧＨｚ帯）の受信電力が基地局２Ｂ（８００ＭＨｚ帯）の受信電力以上である端末３から構成される。端末群ＸＰは、優先比率が１．５ＧＨｚ帯よりも８００ＭＨｚ帯の方が高い場合には基地局２Ｂ（８００ＭＨｚ帯）に接続すると考えられるが、基地局２Ａ（１．５ＧＨｚ帯）に接続した方が良い通信品質を得られると予想される。
【００２９】
端末群ＸＱは、基地局２Ｂ（８００ＭＨｚ帯）の受信電力が受信電力閾値を満たし、且つ、基地局２Ａ（１．５ＧＨｚ帯）の受信電力が基地局２Ｂ（８００ＭＨｚ帯）の受信電力未満である端末３から構成される。端末群ＸＱは、優先比率が１．５ＧＨｚ帯よりも８００ＭＨｚ帯の方が高い場合には基地局２Ｂ（８００ＭＨｚ帯）に接続すると考えられ、基地局２Ｂ（８００ＭＨｚ帯）に接続した方が良い通信品質を得られると予想される。
【００３０】
端末群判定部２１は、ある端末３について、各基地局２Ａ、２Ｂからの受信電力を受信電力閾値と比較し、この比較結果に基づいて、当該端末３が属する端末群を判別する。
【００３１】
なお、端末群判定部２１は、受信電力情報の入力のタイミングごとに端末群判別処理を行ってもよく、又は、所定回数の受信電力情報の入力ごとに受信電力の統計処理を行い、該統計処理結果を用いて端末群判別処理を行ってもよい。
【００３２】
（ステップＳ３）
優先比率計算部２２は、各端末群ＸＰ、ＸＱに設定する優先比率を算出する。この優先比率算出方法を説明する。
【００３３】
優先比率計算部２２は、所望優先比率情報で示される所望優先比率Ｒと端末群ＸＰの端末数Ｐと端末群ＸＱの端末数Ｑを用いて、次式（１）、（２）により、端末群ＸＰの優先比率ＲＰと端末群ＸＱの優先比率ＲＱを算出する。
「｛Ｘ×Ｒ｝≧Ｐ」である場合、「ＲＰ＝１」とし、「ＲＱ＝｛（Ｘ×Ｒ）−Ｐ｝÷Ｑ」とする。・・・（１）
「｛Ｘ×Ｒ｝＜Ｐ」である場合、「ＲＰ＝（Ｘ×Ｒ）÷Ｐ」とし、「ＲＱ＝０」とする。・・・（２）
但し、「Ｘ＝Ｐ＋Ｑ」である。優先比率Ｒ、ＲＰ、ＲＱは、「０以上１以下の値」であって８００ＭＨｚ帯よりも１．５ＧＨｚ帯を優先する確率を示し、「優先比率＝１」は１．５ＧＨｚ帯を優先する確率が１００％（言い換えれば８００ＭＨｚ帯を優先する確率が０％）であり、「優先比率＝０」は１．５ＧＨｚ帯を優先する確率が０％（言い換えれば８００ＭＨｚ帯を優先する確率が１００％）である。
【００３４】
上記式（１）、（２）において、「Ｘ×Ｒ」は、基地局２Ａ（１．５ＧＨｚ帯）に接続している端末３であって基地局２Ｂ（８００ＭＨｚ帯）に接続できる端末群ＸＰ、ＸＱのうち、所望優先比率Ｒにより基地局２Ａ（１．５ＧＨｚ帯）に接続させたい端末３の数（所望接続数）である。端末群ＸＰの端末数Ｐは、受信電力が基地局２Ｂ（８００ＭＨｚ帯）よりも基地局２Ａ（１．５ＧＨｚ帯）の方が大きく、基地局２Ａ（１．５ＧＨｚ帯）に接続した方が良い通信品質である端末３の数である。逆に、端末群ＸＱの端末数Ｑは、受信電力が基地局２Ａ（１．５ＧＨｚ帯）よりも基地局２Ｂ（８００ＭＨｚ帯）の方が大きく、基地局２Ｂ（８００ＭＨｚ帯）に接続した方が良い通信品質である端末３の数である。
【００３５】
式（１）では、基地局２Ａ（１．５ＧＨｚ帯）に接続した方が良い通信品質である端末群ＸＰの端末数Ｐが基地局２Ａ（１．５ＧＨｚ帯）への所望接続数以下である場合には、該端末群ＸＰの端末３を全て基地局２Ａ（１．５ＧＨｚ帯）に接続させるように、端末群ＸＰの優先比率ＲＰを「１」としている。そして、端末群ＸＱの優先比率ＲＱには、基地局２Ａ（１．５ＧＨｚ帯）への所望接続数に不足する分を補うように、「ＲＱ＝｛（Ｘ×Ｒ）−Ｐ｝÷Ｑ」としている。
【００３６】
一方、式（２）では、基地局２Ａ（１．５ＧＨｚ帯）に接続した方が良い通信品質である端末群ＸＰの端末数Ｐが基地局２Ａ（１．５ＧＨｚ帯）への所望接続数超過である場合には、基地局２Ａ（１．５ＧＨｚ帯）への所望接続数に制限するために、端末群ＸＰの優先比率ＲＰを「（Ｘ×Ｒ）÷Ｐ」としている。そして、端末群ＸＱの優先比率ＲＱには、基地局２Ａ（１．５ＧＨｚ帯）への所望接続数に充足しているので、該端末群ＸＱの端末３を全て基地局２Ｂ（８００ＭＨｚ帯）に接続させるように、「ＲＱ＝０」としている。
【００３７】
（ステップＳ４）
出力部１２は、各優先比率を示す優先比率情報と、該各優先比率を設定する端末３を特定する端末情報と、を出力する。
【００３８】
これにより、基地局２Ａは、端末群ＸＰの全端末に対して優先比率ＲＰを設定し、また、端末群ＸＱの全端末に対して優先比率ＲＱを設定する。この結果、端末群ＸＰ、ＸＱの通信品質が考慮されつつ、所望優先比率Ｒにより１．５ＧＨｚ帯と８００ＭＨｚ帯の間で利用端末数を調整することができる。
【実施例２】
【００３９】
実施例２は実施例１の変形例である。本実施例２では、端末群ＹＡが基地局２Ａ（１．５ＧＨｚ帯）に接続することを条件に含めて各優先比率ＲＰ、率ＲＱの算出を行う。
【００４０】
図５は本発明に係る優先比率計算処理の実施例２のフローチャートである。図５において、図３の各ステップに対応する部分には同一の符号を付している。図５を参照して、実施例２に係る優先比率計算装置１の動作について、主に実施例１と異なる点を説明する。
【００４１】
ステップＳ１、Ｓ２は図３の実施例１と同じである。
【００４２】
（ステップＳ１０）
優先比率計算部２２は、所望優先比率Ｒと端末群ＸＰの端末数Ｐと端末群ＸＱの端末数Ｑと端末群ＹＡの端末数Ｚを用いて、次式（３）、（４）により、第１の所望接続数ＸＲＰと第２の所望接続数ＸＲＱを算出する。
【００４３】
ＸＲＰ＝（Ｐ＋Ｑ＋Ｚ）×Ｒ      ・・・（３）
ＸＲＱ＝（Ｐ＋Ｑ＋Ｚ）×（１−Ｒ）      ・・・（４）
【００４４】
なお、式（３）、（４）において、「Ｐ＋Ｑ＋Ｚ」の代わりに、基地局２Ａ（１．５ＧＨｚ帯）に接続している端末３の総数を使用してもよい。
【００４５】
第１の所望接続数ＸＲＰは、基地局２Ａ（１．５ＧＨｚ帯）に接続している端末３のうち、所望優先比率Ｒにより基地局２Ａ（１．５ＧＨｚ帯）に接続させたい端末３の数である。第２の所望接続数ＸＲＱは、基地局２Ａ（１．５ＧＨｚ帯）に接続している端末３のうち、所望優先比率Ｒにより基地局２Ｂ（８００ＭＨｚ帯）に接続させたい端末３の数である。
【００４６】
（ステップＳ１１）
優先比率計算部２２は、各端末群ＸＰ、ＸＱに設定する優先比率を算出する。この優先比率算出方法を説明する。
【００４７】
優先比率計算部２２は、次式（５）、（６）により、端末群ＸＰの優先比率ＲＰと端末群ＸＱの優先比率ＲＱを算出する。
「ＸＲＰ≧（Ｐ＋Ｑ）」又は「ＸＲＱ＜Ｑ」である場合、「ＲＰ＝１」とし、「ＲＱ＝１−（ＸＲＱ÷Ｑ）」とする。・・・（５）
「ＸＲＰ＜（Ｐ＋Ｑ）」又は「ＸＲＱ≧Ｑ」である場合、「ＲＰ＝（ＸＲＰ−Ｚ）÷Ｐ」とし、「ＲＱ＝０」とする。・・・（６）
【実施例３】
【００４８】
実施例３では、基地局２Ａ（１．５ＧＨｚ帯）と基地局２Ｂ（８００ＭＨｚ帯）の受信電力差に基づいて、１．５ＧＨｚ帯を優先する確率が１００％である第１の優先比率を適用する端末３と、８００ＭＨｚ帯を優先させる確率が１００％である第２の優先比率を適用する端末３とを選択する。
【００４９】
図６は本発明に係る優先比率計算処理の実施例３のフローチャートである。図６において、図５の各ステップに対応する部分には同一の符号を付している。図６を参照して、実施例３に係る優先比率計算装置１の動作について、主に実施例２と異なる点を説明する。
【００５０】
ステップＳ１、Ｓ２、Ｓ１０は図５の実施例２と同じである。
【００５１】
（ステップＳ２０）
優先比率計算部２２は、端末群ＸＰ、ＸＱの各端末３について、基地局２Ａ（１．５ＧＨｚ帯）の受信電力から基地局２Ｂ（８００ＭＨｚ帯）の受信電力を減算した受信電力差を算出する。
【００５２】
（ステップＳ２１）
優先比率計算部２２は、ステップＳ２０で算出した受信電力差の降順で、端末群ＸＰ、ＸＱの各端末３を順位付ける。そして、優先比率計算部２２は、上位から「（第１の所望接続数ＸＲＰ）−（端末群ＹＡの端末数Ｚ）」台の端末３に対して、１．５ＧＨｚ帯を優先する確率が１００％である第１の優先比率「１」を適用する。また、優先比率計算部２２は、下位から第２の所望接続数ＸＲＱ台の端末３に対して、８００ＭＨｚ帯を優先させる確率が１００％である第２の優先比率「０」を適用する。
【００５３】
なお、上記した例では「受信電力差＝｛基地局２Ａ（１．５ＧＨｚ帯）の受信電力｝−｛基地局２Ｂ（８００ＭＨｚ帯）の受信電力｝」として受信電力差の降順で順位付けしたが、「受信電力差＝｛基地局２Ｂ（８００ＭＨｚ帯）の受信電力｝−｛基地局２Ａ（１．５ＧＨｚ帯）の受信電力｝」として受信電力差の昇順で順位付けを行ってもよい。
【実施例４】
【００５４】
実施例４では、基地局２Ａ（１．５ＧＨｚ帯）または基地局２Ｂ（８００ＭＨｚ帯）の受信電力に基づいて、１．５ＧＨｚ帯を優先する確率が１００％である第１の優先比率を適用する端末３と、８００ＭＨｚ帯を優先させる確率が１００％である第２の優先比率を適用する端末３とを選択する。
【００５５】
図７は本発明に係る優先比率計算処理の実施例４のフローチャートである。図７において、図５の各ステップに対応する部分には同一の符号を付している。図７を参照して、実施例４に係る優先比率計算装置１の動作について、主に実施例２と異なる点を説明する。
【００５６】
ステップＳ１、Ｓ２、Ｓ１０は図５の実施例２と同じである。
【００５７】
（ステップＳ３０）
優先比率計算部２２は、端末群ＸＰの各端末３について、基地局２Ａ（１．５ＧＨｚ帯）の受信電力を取得する。また、優先比率計算部２２は、端末群ＸＱの各端末３について、基地局２Ｂ（８００ＭＨｚ帯）の受信電力を取得する。
【００５８】
（ステップＳ３１）
優先比率計算部２２は、以下のように、優先比率を算出する。
【００５９】
［「ＸＲＰ≧（Ｐ＋Ｑ）」又は「ＸＲＱ＜Ｑ」である場合］
優先比率計算部２２は、端末群ＸＰの優先比率ＲＰを「ＲＰ＝１（第１の優先比率）」とする。これにより、端末群ＸＰの優先比率ＲＰは、１．５ＧＨｚ帯を優先する確率が１００％となる。一方、優先比率計算部２２は、端末群ＸＱの各端末３に対して、基地局２Ｂ（８００ＭＨｚ帯）の受信電力の降順で順位付ける。そして、優先比率計算部２２は、上位から第２の所望接続数ＸＲＱ台の端末３に対して、８００ＭＨｚ帯を優先させる確率が１００％である第２の優先比率「０」を適用する。そして、優先比率計算部２２は、残りの端末群ＸＱの端末３に対して、１．５ＧＨｚ帯を優先する確率が１００％である第１の優先比率「１」を適用する。
【００６０】
［「ＸＲＰ＜（Ｐ＋Ｑ）」又は「ＸＲＱ≧Ｑ」である場合］
優先比率計算部２２は、端末群ＸＰの各端末３に対して、基地局２Ａ（１．５ＧＨｚ帯）の受信電力の降順で順位付ける。そして、優先比率計算部２２は、上位から「（第１の所望接続数ＸＲＰ）−（端末群ＹＡの端末数Ｚ）」台の端末３に対して、１．５ＧＨｚ帯を優先する確率が１００％である第１の優先比率「１」を適用する。そして、優先比率計算部２２は、残りの端末群ＸＰの端末３に対して、８００ＭＨｚ帯を優先させる確率が１００％である第２の優先比率「０」を適用する。一方、優先比率計算部２２は、端末群ＸＱの優先比率ＲＱを「ＲＱ＝０（第２の優先比率）」とする。これにより、端末群ＸＱの優先比率ＲＱは、８００ＭＨｚ帯を優先させる確率が１００％となる。
【実施例５】
【００６１】
実施例５は実施例４の変形例である。実施例５のフローチャートは図７と同じである。図７を参照して、実施例５に係る優先比率計算装置１の動作について、主に実施例４と異なる点を説明する。
【００６２】
ステップＳ１、Ｓ２、Ｓ１０は図５の実施例２と同じである。
【００６３】
（ステップＳ３０）
優先比率計算部２２は、端末群ＸＰの各端末３について、基地局２Ｂ（８００ＭＨｚ帯）の受信電力を取得する。また、優先比率計算部２２は、端末群ＸＱの各端末３について、基地局２Ａ（１．５ＧＨｚ帯）の受信電力を取得する。
【００６４】
（ステップＳ３１）
優先比率計算部２２は、以下のように、優先比率を算出する。
【００６５】
［「ＸＲＰ≧（Ｐ＋Ｑ）」又は「ＸＲＱ＜Ｑ」である場合］
優先比率計算部２２は、端末群ＸＰの優先比率ＲＰを「ＲＰ＝１（第１の優先比率）」とする。これにより、端末群ＸＰの優先比率ＲＰは、１．５ＧＨｚ帯を優先する確率が１００％となる。一方、優先比率計算部２２は、端末群ＸＱの各端末３に対して、基地局２Ａ（１．５ＧＨｚ帯）の受信電力の降順で順位付ける。そして、優先比率計算部２２は、下位から第２の所望接続数ＸＲＱ台の端末３に対して、８００ＭＨｚ帯を優先させる確率が１００％である第２の優先比率「０」を適用する。そして、優先比率計算部２２は、残りの端末群ＸＱの端末３に対して、１．５ＧＨｚ帯を優先する確率が１００％である第１の優先比率「１」を適用する。
【００６６】
［「ＸＲＰ＜（Ｐ＋Ｑ）」又は「ＸＲＱ≧Ｑ」である場合］
優先比率計算部２２は、端末群ＸＰの各端末３に対して、基地局２Ｂ（８００ＭＨｚ帯）の受信電力の降順で順位付ける。そして、優先比率計算部２２は、下位から「（第１の所望接続数ＸＲＰ）−（端末群ＹＡの端末数Ｚ）」台の端末３に対して、１．５ＧＨｚ帯を優先する確率が１００％である第１の優先比率「１」を適用する。そして、優先比率計算部２２は、残りの端末群ＸＰの端末３に対して、８００ＭＨｚ帯を優先させる確率が１００％である第２の優先比率「０」を適用する。一方、優先比率計算部２２は、端末群ＸＱの優先比率ＲＱを「ＲＱ＝０（第２の優先比率）」とする。これにより、端末群ＸＱの優先比率ＲＱは、８００ＭＨｚ帯を優先させる確率が１００％となる。
【００６７】
上述した実施形態によれば、複数の無線周波数帯の間で利用端末数を調整することに加えて、端末の通信品質を考慮して優先比率を設定することができる。
【００６８】
以上、本発明の実施形態について図面を参照して詳述してきたが、具体的な構成はこの実施形態に限られるものではなく、本発明の要旨を逸脱しない範囲の設計変更等も含まれる。
【００６９】
また、図３、図５、図６又は図７に示す各ステップを実現するためのプログラムをコンピュータ読み取り可能な記録媒体に記録して、この記録媒体に記録されたプログラムをコンピュータシステムに読み込ませ、実行することにより、優先比率計算処理を行ってもよい。なお、ここでいう「コンピュータシステム」とは、ＯＳや周辺機器等のハードウェアを含むものであってもよい。
【００７０】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００７１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７２】
１…優先比率計算装置、２Ａ，２Ｂ…基地局、３…端末、１１…入力部、１２…出力部、１３…記憶部、１４…処理部、２１…端末群判定部、２２…優先比率計算部
【図１】
2014082576.tif 000003
【図２】
2014082576.tif 000004
【図３】
2014082576.tif 000005
【図４】
2014082576.tif 000006
【図５】
2014082576.tif 000007
【図６】
2014082576.tif 000008
【図７】
2014082576.tif 000009